(57)【特許請求の範囲】
【請求項１】
ゲートシステムであって、
レールに沿って滑動するように構成されたカムプレートを含むカムスレッドと、
前記カムプレートの案内要素と係合されたカムフォロアと、
第１の末端部分及び第２の末端部分を含むブラケットであって、該第１の末端部分がゲートポストに非回転可能に結合されるように構成され、該第２の末端部分が前記カムフォロアに結合される、ブラケットと、
を含み、
前記カムスレッドは、前記レールに沿って滑動するよう動力源によって作動されるように構成され、これにより、前記カムフォロアは、前記案内要素に沿って案内され、かつ前記ブラケットは、単一の軸線の周りを回転し、第１の向き又は第２の向きで所定の位置に機械的にロックされる、
ゲートシステム。
【請求項２】
前記案内要素は、湾曲プロファイルを含む、請求項１に記載のゲートシステム。
【請求項３】
前記案内要素は、略Ｖ字形プロファイルを含む、請求項１に記載のゲートシステム。
【請求項４】
前記案内要素は、前記レールに沿った前記カムプレートの移動方向に垂直な中心軸の周りに実質的に対称である、請求項１に記載のゲートシステム。
【請求項５】
前記案内要素は溝を含み、前記カムフォロアは、該溝に収まる軸受を含む、請求項１に記載のゲートシステム。
【請求項６】
前記カムスレッドは、前記レールに沿って滑動するように前記動力源によって作動されるように構成され、これにより、前記ブラケットは、略９０°の角度を介して前記単一の軸線の周りを回転する、請求項１に記載のゲートシステム。
【請求項７】
前記ゲートポストを含み、前記ブラケットの前記第１の末端部分は該ゲートポストに非回転可能に結合される、請求項１に記載のゲートシステム。
【請求項８】
ゲートシステムであって、
ゲートポストを含むゲート組立体と、
前記ゲートポストに非回転可能に結合された第１の末端部分と、第２の末端部分とを含むブラケットと、
レールに沿って滑動するように構成され、かつ案内要素を含むカムプレートと、
前記ブラケットの前記第２の末端部分に結合され、かつ前記カムプレートの前記案内要素と係合されたカムフォロアと、
を含み、
前記レールに沿った前記カムプレートの移動によって、前記カムフォロアは、該カムプレートの前記案内要素に沿って案内され、かつ前記ゲート組立体は、該ゲート組立体を介したアクセスを可能にする開放位置と、該ゲート組立体を介したアクセスを遮断する閉鎖位置との間で単一の軸線の周りを回転する、ゲートシステム。
【請求項９】
前記案内要素は、湾曲プロファイルを含む、請求項８に記載のゲートシステム。
【請求項１０】
前記案内要素は、略Ｖ字形プロファイルを含む、請求項８に記載のゲートシステム。
【請求項１１】
前記カムフォロアは、前記ゲート組立体が前記開放位置と前記閉鎖位置との間で回転するときに中心軸の周りに実質的に対称である経路に沿って移動するように構成される、請求項８に記載のゲートシステム。
【請求項１２】
前記中心軸は、前記レールに沿った前記カムプレートの移動方向に実質的に垂直である、請求項１１に記載のゲートシステム。
【請求項１３】
前記案内要素は、前記中心軸の第１の側面上の第１の湾曲部分と、該中心軸の第２の側面上の第２の湾曲部分と、該第１の湾曲部分と該第２の湾曲部分との間の該中心軸に沿った中央部分とを含み、該第１の湾曲部分及び該第２の湾曲部分のそれぞれの端部が前記カムプレートの側縁部に近接し、該中央部分が該側縁部から遠位であるように、該第１の湾曲部分及び該第２の湾曲部分は、該側縁部から離れて湾曲する、請求項１１に記載のゲートシステム。
【請求項１４】
前記ゲート組立体の前記ゲートポストを受けるように構成された複数の支持構造体を含み、該ゲート組立体は、該ゲートポストが該複数の支持構造体の第１の支持構造体内に受けられて支持されたときに前記カムプレートに対して第１の向きにあり、該ゲートポストが該複数の支持構造体の第２の支持構造体内に受けられて支持されたときに該カムプレートに対して第２の向きにある、請求項１１に記載のゲートシステム。
【請求項１５】
床面上の経路に沿った移動を可能にする及び遮断するよう開放位置と閉鎖位置の間で調整するよう構成されたゲートシステムであって、
案内要素を含み、かつ第１の端部位置と第２の端部位置との間で前記床面に対してレールに沿って滑動するように構成されたカムプレートであって、該案内要素は、略Ｖ字形プロファイルを含み、かつ該レールに沿った該カムプレートの移動方向に実質的に垂直な中心軸の周りに実質的に対称である、カムプレートと、
前記カムプレートが前記レールに沿って滑動するときに前記案内要素を辿るように構成されたカムフォロアと、
前記カムフォロアに結合されたゲート組立体であって、該ゲート組立体は、該カムプレートが前記レールに沿って滑動するにつれて該カムフォロアが前記案内要素を辿るときに前記開放位置と前記閉鎖位置の間で前記ゲートシステムを調整するために回転するよう構成される、ゲート組立体と、
を含む、ゲートシステム。
【請求項１６】
前記案内要素は、前記中心軸の第１の側面上の第１の湾曲部分と、該中心軸の第２の側面上の第２の湾曲部分とを含む、請求項１５に記載のゲートシステム。
【請求項１７】
前記案内要素は、前記中心軸の第１の側面上の第１の実質的に直線状の部分と、該中心軸の第２の側面上の第２の実質的に直線状の部分とを含む、請求項１５に記載のゲートシステム。
【請求項１８】
前記案内要素は、前記第１の実質的に直線状の部分に対して角度が付けられた第１の末端部分と、前記第２の実質的に直線状の部分に対して角度が付けられた第２の末端部分とを含む、請求項１７に記載のゲートシステム。
【請求項１９】
前記案内要素の軸方向端部は、前記ゲート組立体のゲートポストに近接した前記カムプレートの側縁部に近接して位置付けられ、該案内要素の中央部分は、該側縁部から遠位で位置付けられる、請求項１５に記載のゲートシステム。
【請求項２０】
前記レールは、第１のレール端部及び第２のレール端部から中心軸に沿って延び、該中心軸は、前記単一の軸線に垂直である、請求項１に記載のゲートシステム。
【発明の詳細な説明】
【技術分野】
【０００１】
本出願は、２０１６年１２月２２日出願の「カムロックショットガンゲート(CAM LOCKING SHOTGUN GATE)」という名称の米国特許仮出願第６２／４３８，０４６号に対する優先権及び利益を主張するものであり、本仮出願は、引用により全体が本明細書に組み込まれる。
【背景技術】
【０００２】
本開示は、全体としてゲーティングシステムに関し、より詳細には、ショットガンゲーティングシステムに関する。
【０００３】
テーマパーク又はアミューズメントパークの乗り物アトラクションは、ますます人気を博している。一部の場合において、ゲートシステムは、観客の流れ及びこのようなアトラクションへのアクセスを制御するのに使用されている。一部のゲートシステムは、来園者又はオペレータによって手動で開閉されるゲートを含むことができ、一部のゲートシステムは、ゲートを開閉する力を発生させる動力源としてアクチュエータ（例えば、液圧アクチュエータ）を使用することができる。一部の場合において、ゲートを制御するアクチュエータは、大型となる場合があり、及び／又は、例えば、ゲートを特定の位置（例えば、開放、閉鎖又は部分的開放）での保持及び／又は、ゲートの作動（例えば、開閉）を行うために高い力要件が存在する場合がある。
【発明の概要】
【発明が解決しようとする課題】
【０００４】
最初に請求項に記載された本発明の範囲内にある一部の実施形態について以下で要約する。これらの実施形態は、本開示の範囲を限定することを意図するものではなく、むしろ、これらの実施形態は、特定の開示される実施形態の概要を提示することのみが意図されている。実際には、本開示は、以下で記載される実施形態と類似又は異なるものとすることができる様々な形態を包含することができる。
【課題を解決するための手段】
【０００５】
１つの実施形態において、ゲートシステムは、レールに沿って滑動するように構成されたカムプレート(cam plate)を有するカムスレッド(cam sled)を含む。ゲートシステムはまた、カムプレートと係合され(engaged)且つゲート組立体に結合されたカムフォロア(cam follower)を含む。レールに沿ってカムスレッドを移動させるため動力源の作動によって、ゲート組立体は、軸線の周りを回転し、ゲート組立体の開放又は閉鎖する向き(open or closed orientations)で機械的に所定の位置にロックされるようになる。
【０００６】
１つの実施形態において、ゲートシステムは、案内要素を有し且つレールに沿って滑動するように構成されたカムプレートを含む。ゲートシステムはまた、カムプレートがレールに沿って滑動するときに、案内要素を辿るように構成されたカムフォロアを含む。ゲートシステムは更に、カムフォロアに結合されたゲート組立体を含む。レールに沿ったカムプレートの移動によって、ゲート組立体は、ゲート組立体を介したアクセスを可能にする開放位置とゲート組立体を介したアクセスを遮断する閉鎖位置との間で回転するようになる。
【０００７】
１つの実施形態において、ゲートシステムは、案内要素を有し且つ第１の端部位置と第２の端部位置との間でレールに沿って滑動するように構成されたカムプレートを含む。案内要素は、略Ｖ字形プロファイルを含み、レールに沿ったカムプレートの移動方向に実質的に垂直な中心軸の周りに実質的に対称である。ゲートシステムはまた、カムプレートがレールに沿って滑動するときに、案内要素を辿るように構成されたカムフォロアと、カムフォロアに結合されたゲート組立体とを含む。
【０００８】
本開示の上記及び他の特徴、態様、及び利点は、図面を通して同じ参照符号が同じ要素を表す添付図面を参照しながら以下の詳細な説明を読むとより深く理解されるであろう。
【図面の簡単な説明】
【０００９】
【図１】本開示の１つの実施形態による、カムスレッドが第１の端部位置にあるゲートシステムの斜視図である。
【図２】本開示の１つの実施形態による、カムスレッドが中間位置にある図１のゲートシステムの斜視図である。
【図３】本開示の１つの実施形態による、カムスレッドが第２の端部位置にある図１のゲートシステムの斜視図である。
【図４】本開示の１つの実施形態による、カムスレッドが第１の端部位置にある図１のゲートシステムの上面図である。
【図５】本開示の１つの実施形態による、カムスレッドが中間位置にある図１のゲートシステムの上面図である。
【図６】本開示の１つの実施形態による、カムスレッドが第２の端部位置にある図１のゲートシステムの上面図である。
【図７】本開示の１つの実施形態による、図１のゲートシステムにおいて使用することができる湾曲溝(curved groove)を有するカムプレートの上面図である。
【図８】本開示の１つの実施形態による、図１のゲートシステムにおいて使用することができる直線溝を有するカムプレートの上面図である。
【図９】本開示の１つの実施形態による、図１のゲートシステムにおいて使用することができる角度付き末端部分を備えた直線溝を有するカムプレートの上面図である。
【図１０】本開示の１つの実施形態による、ゲートがカムスレッドに対して異なる向き(orientation)で配置されている図１のゲートシステムの斜視図である。
【発明を実施するための形態】
【００１０】
本開示の１又は２以上の特定の実施形態について以下で説明する。これらの実施形態の簡潔な説明を与えるために、本明細書では実際の実施の全ての特徴を説明しない場合がある。あらゆる工学又は設計プロジェクトにおけるようなそのようなあらゆる実際の実施の開発において、システム関連及び業務関連の制約の遵守のような開発者の特定目標を達成するために多くの実施固有の判断が必要であることを認めなければならない。更に、このような開発努力は、複雑で時間を消費する場合があるが、それにもかかわらず、本発明の開示の利益を得る当業者にとって設計、製作、及び製造の日常的な仕事であることを認めなければならない。
【００１１】
本開示の実施形態は、観客の流れ及びアトラクションへのアクセスを制御するためにテーマパーク環境において使用することができるゲートシステムに関する。一部の既存のゲートシステムは、ゲートの特定の位置（例えば、開放、閉鎖、又は部分的に開放）での保持及び／又はゲートの作動（例えば、開閉）を行うための力要件に関して非効率性を有する場合があることが現在認識されている。従って、本発明の実施形態は、ゲートの開閉及び／又はゲートを開放位置及び閉鎖位置に機械的にロックするのを容易にするカムプレートを利用して、これによりゲート調整及び／又は特定の位置の維持をする動力／力の非効率な使用が回避される。
【００１２】
以下でより詳細に論じるように、本発明の実施形態は、単に構成部品を配置し直すことによって異なる構成（例えば、右構成又は左構成）で使用することができる。例えば、本発明の実施形態は、右利きの構成から左利きの構成に切り替えることができる。本発明の実施形態は、（一方が他方を変えて）開放位置及び閉鎖位置の両方にて所要の力の調整を可能にすることができる。更に、本発明の実施形態の設計は、両手利きであり、来園者経路に対して平行又は垂直の向きで設置することができる。本発明の実施形態はまた、来園者の進路を遮断又は妨害しない小型のゲートシステムを提供することができる。
【００１３】
図１は、ゲートシステム１０（例えば、カムロックショットガンゲートシステム）の１つの実施形態を示す。図示のように、ゲートシステム１０は、レール１４（例えば、ロッド、ガイド又はシリンダ）に沿って滑動するように構成されたカムスレッド１２（例えば、カム組立体）、及びカムスレッド１２のカムプレート２０（例えば、パネル）の溝１８（例えば、案内要素、軌道、スロット、凹部）内で滑動するように構成されたカムフォロア１６（例えば、軌道フォロア、ローラ又は軸受）を含む。図示の実施形態において、ゲートポスト２４は、カップリング組立体４２を介してカムフォロア１６に結合され、該カップリング組立体４２は、カムフォロア１６及び（例えば、ねじファスナーなど、それぞれのファスナーを介して）ゲートポスト２４に結合されるブラケット４４を含むことができる。以下でより詳細に論じるように、作動時には、カムスレッド１２は、レール１４に沿って滑動するよう駆動され、カムフォロア１６が溝１８を辿り、これによって、ゲート組立体５４のゲートポスト２４及び取り付けガード２６が、回転又は作動（例えば、開放又は閉鎖）するようになる。例えば、図１を参照すると、カムスレッド１２は、矢印５５の方向にレール１４に沿って滑動するように駆動され、これにより、ゲート組立体５４のゲートポスト２４及び取り付けガード２６が、矢印５７の方向に回転することができる。
【００１４】
カムフォロア１６及びカムプレート２０は、カムフォロア１６が係合してカムプレート２０によって案内されるのを可能にする様々な構成の何れかを有することができる点を認識されたい。詳細には、カムプレート２０は、あらゆる好適な案内要素（例えば、溝、軌道、スロット、凹部、隆起部、突出部など）を含むことができ、カムフォロア１６は、対応する係合特徴部（例えば、ローラ、軸受、凹部など）を含むことができる。例えば、１つの実施形態において、カムプレート２０は、隆起部（例えば、突出部）を含むことができ、カムフォロア１６は、カムプレート２０の隆起部に係合してカムフォロア１６がカムプレート２０の隆起部を追跡又はカムプレート２０の隆起部によって案内されることを可能にする凹部（例えば、溝）を含むことができ、これによって、ゲート組立体５４のゲートポスト２４及び取り付けガード２６が回転するようになる。また、カムスレッド１２及び他の可動部は、床部又はカバーより下方に位置付けることができ、従って、視界から隠されて、来園者又はオペレータに不可視とすることができる点に留意されたい。図示の実施形態において、床部又はカバーは図示されておらず、又は可動部の観察を容易にするために透明ではない。更に、議論を容易にするために、ゲートシステム１０及びその構成要素は、軸方向軸線(axial axis)又は方向３０及び横方向軸線又は方向３２を基準にして説明することができる。
【００１５】
図示の実施形態において、レール１４は、ロッドレスシリンダ２８の一部であり、軸方向軸線３０に沿って延びる。ロッドレスシリンダ２８は、動力源又は供給部２９を介して空気圧、液圧、又は電気によって作動させることができる。詳細には、動力供給部２９は、レール１４の周りに滑動可能に取り付けられたキャリア３１（例えば、スライド又はブラケット）を駆動することができ、レール１４に沿ったカムプレート２０の移動を容易にするためにカムプレート２０に結合（例えば、ねじファスナーなど、１又は２以上のファスナーを介して）される。図示の実施形態において、溝１８は、中心軸３４（例えば、横軸３２に平行な）の周りに実質的に対称である。詳細には、カムフォロア１６がゲートシステム１０の作動中に通過して進む溝１８の部分は、中心軸３４の周りに実質的に対称であり、従って、ゲート組立体５４のゲートポスト２４及び取り付けガード２６が開放位置と閉鎖位置の間で回転するにつれてカムフォロア１６が辿る経路は、中心軸３４の周りに実質的に対称である。図示のように、溝１８は、中心軸３４の一方の側上の第１の湾曲部分３６及び中心軸３４の他方の側上の第２の湾曲部分３８を有する略湾曲の（例えば、放物線状又は非線形の）溝である。第１の湾曲部分３６は、中心軸３４に沿って位置決めされた中央部分４０（例えば、中点）と、軸方向軸線３０に対してカムプレート２０の第１の軸方向縁部４８に近位の第１の軸方向末端部分４６との間で湾曲する（例えば、漸次的に曲がる）。第２の湾曲部分３８は、中央部分４０と軸方向軸線３０に対してカムプレート２０の第２の軸方向縁部５２に近位の第２の軸方向末端部分５０との間で湾曲する（例えば、漸次的に曲がる）。第１の湾曲部分３６及び第２の湾曲部分３８は、ゲートシステム１０が作動するように構成されたゲートポスト２４に最も近いカムプレート２０の第１の側縁部２２から離れて湾曲し、溝１８の軸方向末端部分４６、５０が、第１の側縁部２２に近位であり、溝１８の中央部分４０は、横方向３２で第１の側縁部２２から遠位（例えば、より遠いか又は相対的に遠い）であるようになっている。図示の実施形態において、溝１８の幅５６は、溝１８の第１及び第２の湾曲部分３６、３８の間で実質的に同様である。
【００１６】
図１に示すように、カムスレッド１２は、カムプレート２０がレール１４の第１の端部６０に近接した第１の端部位置５８にあり、カムフォロア１６は、溝１８の第１の末端部分４６に近接及び／又は接触している。図示の実施形態において、ゲート組立体５４のガード２６は、ガード２６が軸方向軸線３０に略平行である開放位置６２にあると共に、カムスレッド１２は、第１の端部位置５８にあり、これにより、来園者経路６４に沿ってゲート組立体５４を通過して又はゲート組立体５４を横切って来園者が進むアクセスが可能となる。
【００１７】
図２は、ゲートシステム１０の斜視図であり、ここでカムスレッド１２は、レール１４に沿って（例えば、第１の端部位置５８と第２の端部位置との間の）中間位置７０にある。図３は、ゲートシステム１０の斜視図であり、ここでカムスレッド１２は、カムプレート２０がレール１４の第２の端部６０に近接した第２の端部位置７２にあり、及び／又はカムフォロア１６は、溝１８の第２の末端部分５０に近接し及び／又は接触している。図示の実施形態において、ゲート組立体５４のガード２６は、ガード２６が横軸３２に略平行である閉鎖位置７６にあると共に、カムスレッド１２は、第２の端部位置７２にあり、これにより、来園者経路６４に沿ったゲート組立体５４を通る又はゲート組立体５４を横断する通行が遮断される。従って、ゲーティングシステム１０は、来園者経路６４に沿った来園者の通行のアクセスを可能にするか又は遮断するように、ある角度（例えば、略９０°）を介したゲート組立体５４のゲートポスト２４及びガード２６の回転を駆動するように構成される。
【００１８】
図１〜図３に示す実施形態を参照すると、作動時には、カムプレート２０は、矢印５５の方向で第１の端部位置５８から第２の端部位置７４までレール１４に沿って駆動することができる。カムプレート２０がレール１４に沿って移動すると、溝１８の湾曲面７８は、カムフォロア１６に接触してこれを駆動する（例えば、押す）ことができ、これにより、矢印５７の方向でブラケット４４及びゲートポスト２４の回転が駆動される。カムプレート２０が中間位置７０に到達すると、カムフォロア１６は、溝１８の中心部分４０にあり、ブラケット４４及びゲートポスト２４は、ある角度（例えば、略４５°）を介して回転されている。カムプレート２０がレール１４に沿って引き続き移動すると、溝１８の湾曲面８０は、カムフォロア１６に接触してこれを駆動する（例えば、引く）ことができ、これにより、矢印５７の方向でブラケット４４及びゲートポスト２４の更なる回転が駆動される。同様に、第２の端部位置７４から第１の端部位置５８までのレール１４に沿ったカムプレート２０の移動によって、ゲート組立体５４は、閉鎖位置７６から開放位置６２まで駆動される。このようにして、カムプレート２０は、ゲート組立体５４のゲートポスト２４及びガード２６の回転を促進し、ゲート組立体５４を開放位置６２と閉鎖位置７６との間で移動させる。１つの実施形態において、カムプレート２０がレール１４を何れかの方向で完全に横断させた（例えば、第１の端部位置５８又は第２の端部位置７２に到達した）ときには、カムプレート２０は、所定位置に機械的にロックされ、ゲートポスト２４及びガード２６の位置の維持に対して更なる力の印加を回避することができる。
【００１９】
ガード２６は、様々な方法又は向きの何れかでゲートポスト２４に取り付けることができる点を認識されたい。例えば、１つの実施形態において、ガード２６は、カムスレッド１２が第１の端部位置５８にあるときに横軸３２に平行であり、カムスレッド１２が第２の端部位置７２にあるときに軸方向軸線３０に平行であるように、ゲートポスト２４に取り付けることができる。ゲート組立体５４の調整を容易にするために、ゲートシステム１０は、ゲート組立体５４の支持ポスト８４を受けてこれを支持するように構成された１又は２以上の支持構造体８２（例えば、ポスト受け開口部）を含むことができる。例えば、図１において、支持ポスト８４は、ゲートポスト２４の一方の軸方向側で１つの支持構造体８２内に支持されるが、ゲート組立体５４は、カムスレッド１２に対して調整することができるので、支持ポスト８４は、ゲートポスト２４の反対の軸方向側で別の支持構造体８２内に支持されるようになる。
【００２０】
図４は、ゲートシステム１０の上面図であり、ここでカムスレッド１２は、第１の端部位置５８にある。図５は、ゲートシステム１０の上面図であり、ここでカムスレッド１２は、中間位置７０にある。図６は、ゲートシステム１０の上面図であり、カムスレッドは、第２の端部位置７２にある。図４〜図６に示すゲートシステム１０は、図１〜図３に関して上述した特徴の一部又は全てを含むことができる。加えて、図４〜図６に示すように、第１の端部位置５８と第２の端部位置７２と間のカムスレッド１２の移動によって、ある角度８６（例えば、略９０°）を介したブラケット４４、ゲートポスト２４及びガード２６の回転が駆動される。
【００２１】
図７は、溝１８を有するカムプレート２０の上面図であり、ここで溝１８は、略湾曲溝である。図１に関して上述したように、溝１８は、中心軸３４の周りに実質的に対称である。図示のように、溝１８は、略Ｖ字形プロファイルを形成する第１の湾曲部分３６及び第２の湾曲部分３８を有する略湾曲溝である。第１の湾曲部分３６は、中央部分４０と、カムプレート２０の第１の軸方向縁部４８に近接した第１の軸方向末端部分４６との間で湾曲している。第２の湾曲部分３８は、中央部分４０と、カムプレート２０の第２の軸方向縁部５２に近接した第２の軸方向末端部分５０との間で湾曲している。第１の湾曲部分３６及び第２の湾曲部分３８は、カムプレート２０の第１の側縁部２２から離れて湾曲して、溝１８の軸方向末端部分４６、５０が第１の側縁部２２に近接し、溝１８の中央部分４０が、横方向３２で第１の側縁部２２から遠位である（例えば、より遠いか又は相対的に遠い）ようになっている。図示の実施形態において、溝１８の幅５６は、溝１８の第１及び第２の軸方向末端部分４６、５０の間で溝１８の長さに沿って実質的に同様のものである。図示のように、カムプレート２０は、例えば、カムプレート２０をキャリア３１及び／又は他の支持構造体に結合するファスナーを受けるように構成された開口部９０を含む。しかしながら、カムプレート２０をキャリア３１に結合する当技術分野で知られている他の手段（例えば、溶接、粘着接合など）を使用することができる。カムプレート２０の溝１８は、様々な構成又はプロファイル（例えば、形状）の何れかを有することができ、これは、図１〜図６に示すように、ゲート組立体５４が開放位置６２と閉鎖位置７６との間で回転するときに、ゲート組立体５４の回転角（例えば、角度８６）、並びにゲート組立体５４の力要件、平滑性、安定性、速度及び／又は加速に影響を与える可能性がある。
【００２２】
以上を念頭に入れて、図８は、ゲートシステム１０において使用することができる直線溝１０２を有するカムプレート１００の１つの実施形態の上面図である。カムプレート１００は、図１〜図３に関して上記で論じたカムプレート２０の特徴要素の何れかを有することができる。例えば、カムプレート１００は、ゲート組立体５４を開放位置６２と閉鎖位置７６との間で移動させるためにレール１４に沿って滑動するように構成することができる。図８に示すように、溝１０２は、中心軸１０４の周りに実質的に対称（例えば、横軸３２に平行）であり、略Ｖ字形プロファイルを有する。図示のように、溝１０２は、中心軸１０４の一方の側に第１の線形部分１０６（例えば、直線状又は非湾曲部分）と、中心軸１０４の他方の側上に第２の線形部分１０８（例えば、直線状又は非湾曲部分）を有する略線形溝である。第１の線形部分１０６は、中央部分１１０（例えば、中点）とカムプレート１００の第１の軸方向縁部１１４に近接した第１の軸方向末端部分１１２との間に延びる。第２の線形部分１０８は、中央部分１１０とカムプレート１００の第２の軸方向縁部１１８に近接した第２の軸方向末端部分１１６との間に延びる。第１の線形部分１０６及び第２の線形部分１０８は、カムプレート１００の第１の側縁部１２０から離れて延びて、溝１０２の第１及び第２の軸方向末端部分１１２、１１６が、第１の側縁部１２０に近接し、溝１０２の中央部分１１０が、横方向３２で第１の側縁部１２０から遠位である（例えば、より遠いか又は相対的に遠い）ようになっている。図示の実施形態において、溝１０２の幅１２２は、溝１０２の第１及び第２の軸方向末端部分１１２、１１６間で溝１０２の長さに沿って実質的に同様のものである。図示のように、カムプレート１００は、例えば、カムプレート１００をキャリア３１及び／又はゲートシステム１０の他の支持構造体に結合するファスナーを受けるように構成された開口部１２４を含む。しかしながら、カムプレート２０をキャリア３１に結合する当技術分野で知られている他の手段（例えば、溶接、粘着接合など）を使用することができる。
【００２３】
図９は、ゲートシステム１０において使用することができる末端部分１３４（例えば、軸方向に延びる末端部分）を備えた直線溝１３２を有するカムプレート１３０の１つの実施形態の上面図である。カムプレート１３０は、図１〜図３に関して上記で論じたカムプレート２０の特徴の何れかを有することができる。例えば、カムプレート１３０は、ゲート組立体５４を開放位置６２と閉鎖位置７６との間で移動させるためにレール１４に沿って滑動するように構成することができる。図９に示すように、溝１３２は、中心軸１３６の周りに実質的に対称（例えば、横軸３２に平行）であり、略Ｖ字形プロファイルを形成する。図示のように、溝１３２は、中心軸１３６の一方の側に第１の線形部分１３８及びそれぞれの末端部分１３４、１４０と、中心軸１３６の別の側に第２の線形部分１４２及びそれぞれの末端部分１３４、１４４を有する略線形溝である。溝１３２は、中央部分１４６（例えば、中点）を含む。第１の線形部分１３８及び第２の線形部分１４２は、カムプレート１３０の第１の側縁部１４８から離れて延びて、溝１３２の末端部分１３４が第１の側縁部１４８に近接し、溝１３２の中央部分１４６が、横方向３２で第１の側縁部１４８から遠位である（例えば、より遠いか又は相対的に遠い）ようになっている。図示の実施形態において、溝１３２の幅１５０は、溝１３２の末端部分１３４間で溝１３２の長さに沿って実質的に同様のものである。図示のように、カムプレート１３０は、例えば、カムプレート１３０をキャリア３１及び／又はゲートシステム１０の他の支持構造体に結合するファスナーを受けるように構成された開口部１５２を含む。しかしながら、カムプレート２０をキャリア３１に結合する当技術分野で知られている他の手段（例えば、溶接、粘着接合など）を使用することができる。
【００２４】
上述したように、ゲートシステム１０の構成要素は、様々な構成で配置することができる。例えば、図１０は、図１のゲートシステム１０の斜視図であり、ここでゲート組立体５４のガード２６は、図１と比較すると、カムスレッド１２に対して異なる向きで位置付けられる。図示のように、ガード２６は、カムスレッド１２が第２の位置７２にある間はガードが来園者経路６４へのアクセスを遮断しない開放位置６２にある。カムスレッド１２が矢印１６０の方向に第２の位置７２から第１の位置５８（図１に図示）の方に移動すると、ガード２６は、矢印１６２の方向で、ガード２６が来園者経路６４へのアクセスを遮断する閉鎖位置に回転する。上述したように、ゲート組立体５４の調整を容易にするために、ゲートシステム１０は、ゲート組立体５４の支持ポスト８４を受けてこれを支持するように構成された１又は２以上の支持構造体８２を含むことができる。例えば、図１において、支持ポスト８２は、１つの支持構造体８４内に支持され、図１０において、支持ポスト８２は、別の支持構造体８４内に支持されている。
【００２５】
本開示は、その用途において本明細書で記載される構成要素の構造及び構成の詳細に限定されるものではない。上記の変形例及び変更例は、本開示の範囲内である。本開示は、言及されるか又は本文及び／又は図面から明白な個々の特徴の２又は３以上の全ての代替の組み合わせに拡張される。これらの異なる組み合わせの全ては、本開示の様々な代替の態様を構成する。本明細書で記載される実施形態は、本発明を実施する既知の最良の形態を説明し、他の当業者が本発明を利用可能にすることになる。本開示の特定の特徴のみを本明細書で例示し説明してきたが、当業者であれば多くの修正及び変更が想起されるであろう。従って、添付の特許請求の範囲は、本開示の真の精神に含まれる全てのこのような修正及び変更を対象とすることが意図されていることを理解されたい。
【要約】
ゲートシステム（１０）は、レール（１４）に沿って滑動するように構成されたカムプレート（２０）を有するカムスレッド（１２）を含む。ゲートシステム（１０）は、カムプレート（２０）と係合され、ゲート組立体（５４）に結合されたカムフォロア（１６）も含む。レール（１４）に沿ってカムスレッド（１２）を移動させるための動力源（２９）の作動によって、ゲート組立体（５４）は、軸線周りに回転し、ゲート組立体（５４）の開放配向又は閉鎖配向で機械的に所定の位置にロックされるようになる。
【選択図】図１【図１】
0006643527.tif 000002
【図２】
0006643527.tif 000003
【図３】
0006643527.tif 000004
【図４】
0006643527.tif 000005
【図５】
0006643527.tif 000006
【図６】
0006643527.tif 000007
【図７】
0006643527.tif 000008
【図８】
0006643527.tif 000009
【図９】
0006643527.tif 000010
【図１０】
0006643527.tif 000011